【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
複数の記録材に画像を連続して形成する連続画像形成ジョブを実行可能な画像形成装置であって、
像担持体と、前記像担持体に形成された静電潜像をトナーを用いて現像する現像装置と、を有する画像形成部と、
前記連続画像形成ジョブにおいて前記複数の記録材への画像形成で消費されるトナー量に関する情報に基づいて、前記連続画像形成ジョブを中断させて、前記連続画像形成ジョブが中断している状態で前記像担持体に静電像を形成し、前記像担持体に形成された当該静電像を前記現像装置により現像することにより、前記像担持体にトナーを供給するトナー供給動作を前記画像形成部に実行させるモードを実行する制御部と、
前記モードにおいて前記トナー供給動作により前記像担持体に供給されるトナーの量を設定する設定部と、を備える、
ことを特徴とする画像形成装置。
【請求項２】
前記設定部は、前記連続画像形成ジョブにおいて前記複数の記録材への画像形成で消費されるトナー量が第１の量であるときの、前記モードにおいて前記トナー供給動作により前記像担持体に供給されるトナーの量よりも、前記連続画像形成ジョブにおいて前記複数の記録材への画像形成で消費されるトナー量が前記第１の量よりも少ない第２の量であるときの、前記モードにおいて前記トナー供給動作により前記像担持体に供給されるトナーの量の方が多くなるように、前記モードにおいて前記トナー供給動作により前記像担持体に供給されるトナーの量を設定する、
ことを特徴とする請求項１に記載の画像形成装置。
【請求項３】
複数の記録材に画像を連続して形成する連続画像形成ジョブを実行可能な画像形成装置であって、
像担持体と、前記像担持体に形成された静電潜像をトナーを用いて現像する現像装置と、を有する画像形成部と、
前記連続画像形成ジョブにおいて前記複数の記録材に形成される画像の平均画像比率に基づいて、前記連続画像形成ジョブを中断させて、前記連続画像形成ジョブが中断している状態で前記像担持体に静電像を形成し、前記像担持体に形成された当該静電像を前記現像装置により現像することにより、前記像担持体にトナーを供給するトナー供給動作を前記画像形成部に実行させるモードを実行する制御部と、
前記モードにおいて前記トナー供給動作により前記像担持体に供給されるトナーの量を設定する設定部と、を備える、
ことを特徴とする画像形成装置。
【請求項４】
前記設定部は、前記平均画像比率が第１の比率であるときの、前記モードにおいて前記トナー供給動作により前記像担持体に供給されるトナーの量よりも、前記平均画像比率が前記第１の比率よりも小さい第２の比率であるときの、前記モードにおいて前記トナー供給動作により前記像担持体に供給されるトナーの量の方が多くなるように、前記モードにおいて前記トナー供給動作により前記像担持体に供給されるトナーの量を設定する、
ことを特徴とする請求項３に記載の画像形成装置。
【請求項５】
複数の記録材に画像を連続して形成する連続画像形成ジョブを実行可能な画像形成装置であって、
像担持体と、前記像担持体に形成された静電潜像をトナーを用いて現像する現像装置と、を有する画像形成部と、
前記連続画像形成ジョブにおいて前記複数の記録材への画像形成で消費されるトナー量に関する情報に基づいて、前記連続画像形成ジョブの終了時に前記像担持体に静電像を形成し、前記像担持体に形成された当該静電像を前記現像装置により現像することにより、前記像担持体にトナーを供給するトナー供給動作を前記画像形成部に実行させるモードを実行する制御部と、
前記モードにおいて前記トナー供給動作により前記像担持体に供給されるトナーの量を設定する設定部と、を備える、
ことを特徴とする画像形成装置。
【請求項６】
前記設定部は、前記連続画像形成ジョブにおいて前記複数の記録材への画像形成で消費されるトナー量が第１の量であるときの、前記モードにおいて前記トナー供給動作により前記像担持体に供給されるトナーの量よりも、前記連続画像形成ジョブにおいて前記複数の記録材への画像形成で消費されるトナー量が前記第１の量よりも少ない第２の量であるときの、前記モードにおいて前記トナー供給動作により前記像担持体に供給されるトナーの量の方が多くなるように、前記モードにおいて前記トナー供給動作により前記像担持体に供給されるトナーの量を設定する、
ことを特徴とする請求項５に記載の画像形成装置。
【請求項７】
複数の記録材に画像を連続して形成する連続画像形成ジョブを実行可能な画像形成装置であって、
像担持体と、前記像担持体に形成された静電潜像をトナーを用いて現像する現像装置と、を有する画像形成部と、
前記連続画像形成ジョブにおいて前記複数の記録材に形成される画像の平均画像比率に基づいて、前記連続画像形成ジョブの終了時に前記像担持体に静電像を形成し、前記像担持体に形成された当該静電像を前記現像装置により現像することにより、前記像担持体にトナーを供給するトナー供給動作を前記画像形成部に実行させるモードを実行する制御部と、
前記モードにおいて前記トナー供給動作により前記像担持体に供給されるトナーの量を設定する設定部と、を備える、
ことを特徴とする画像形成装置。
【請求項８】
前記設定部は、前記平均画像比率が第１の比率であるときの、前記モードにおいて前記トナー供給動作により前記像担持体に供給されるトナーの量よりも、前記平均画像比率が前記第１の比率よりも小さい第２の比率であるときの、前記モードにおいて前記トナー供給動作により前記像担持体に供給されるトナーの量の方が多くなるように、前記モードにおいて前記トナー供給動作により前記像担持体に供給されるトナーの量を設定する、
ことを特徴とする請求項７に記載の画像形成装置。
【手続補正２】
【補正対象書類名】明細書
【補正対象項目名】０００７
【補正方法】変更
【補正の内容】
【０００７】
本発明は、複数の記録材に画像を連続して形成する連続画像形成ジョブを実行可能な画像形成装置であって、像担持体と、前記像担持体に形成された静電潜像をトナーを用いて現像する現像装置と、を有する画像形成部と、前記連続画像形成ジョブにおいて前記複数の記録材への画像形成で消費されるトナー量に関する情報に基づいて、前記連続画像形成ジョブを中断させて、前記連続画像形成ジョブが中断している状態で前記像担持体に静電像を形成し、前記像担持体に形成された当該静電像を前記現像装置により現像することにより、前記像担持体にトナーを供給するトナー供給動作を前記画像形成部に実行させるモードを実行する制御部と、前記モードにおいて前記トナー供給動作により前記像担持体に供給されるトナーの量を設定する設定部と、を備える、ことを特徴とする画像形成装置にある。
【手続補正３】
【補正対象書類名】明細書
【補正対象項目名】０００８
【補正方法】変更
【補正の内容】
【０００８】
また、本発明は、複数の記録材に画像を連続して形成する連続画像形成ジョブを実行可能な画像形成装置であって、像担持体と、前記像担持体に形成された静電潜像をトナーを用いて現像する現像装置と、を有する画像形成部と、前記連続画像形成ジョブにおいて前記複数の記録材に形成される画像の平均画像比率に基づいて、前記連続画像形成ジョブを中断させて、前記連続画像形成ジョブが中断している状態で前記像担持体に静電像を形成し、前記像担持体に形成された当該静電像を前記現像装置により現像することにより、前記像担持体にトナーを供給するトナー供給動作を前記画像形成部に実行させるモードを実行する制御部と、前記モードにおいて前記トナー供給動作により前記像担持体に供給されるトナーの量を設定する設定部と、を備える、ことを特徴とする画像形成装置にある。
【手続補正４】
【補正対象書類名】明細書
【補正対象項目名】０００９
【補正方法】変更
【補正の内容】
【０００９】
本発明は、複数の記録材に画像を連続して形成する連続画像形成ジョブを実行可能な画像形成装置であって、像担持体と、前記像担持体に形成された静電潜像をトナーを用いて現像する現像装置と、を有する画像形成部と、前記連続画像形成ジョブにおいて前記複数の記録材への画像形成で消費されるトナー量に関する情報に基づいて、前記連続画像形成ジョブの終了時に前記像担持体に静電像を形成し、前記像担持体に形成された当該静電像を前記現像装置により現像することにより、前記像担持体にトナーを供給するトナー供給動作を前記画像形成部に実行させるモードを実行する制御部と、前記モードにおいて前記トナー供給動作により前記像担持体に供給されるトナーの量を設定する設定部と、を備える、ことを特徴とする画像形成装置にある。
さらに、本発明は、複数の記録材に画像を連続して形成する連続画像形成ジョブを実行可能な画像形成装置であって、像担持体と、前記像担持体に形成された静電潜像をトナーを用いて現像する現像装置と、を有する画像形成部と、前記連続画像形成ジョブにおいて前記複数の記録材に形成される画像の平均画像比率に基づいて、前記連続画像形成ジョブの終了時に前記像担持体に静電像を形成し、前記像担持体に形成された当該静電像を前記現像装置により現像することにより、前記像担持体にトナーを供給するトナー供給動作を前記画像形成部に実行させるモードを実行する制御部と、前記モードにおいて前記トナー供給動作により前記像担持体に供給されるトナーの量を設定する設定部と、を備える、ことを特徴とする画像形成装置にある。